【手続補正書】
【提出日】平成17年3月7日(2005.3.7)
【手続補正１】
【補正対象書類名】特許請求の範囲
【補正対象項目名】全文
【補正方法】変更
【補正の内容】
【特許請求の範囲】
【請求項１】
外部機器への電磁波によるデータ送信と外部機器からの送信電磁波に対する負荷変調によるデータ伝送のいずれかあるいは両方が可能な通信装置であって、
アンテナと、
前記アンテナに流れる電流を検出して外部機器から受信した信号を復調する受信復調部と、
前記外部機器に対して送信する送信信号に対応させて搬送波を変調し、前記変調された搬送波を前記アンテナを介して送信する変調送信部と、
前記受信復調部および前記変調送信部による信号の受信および送信を制御する送受信制御部と、
データを格納する記憶部と、
ユーザにより操作制御が行われ、前記通信装置の状態を送信ステートおよび取得ステートのいずれかに設定する状態設定部を有する操作制御部を備え、
前記送受信制御部は、前記状態設定部が前記送信ステートに設定されかつ任意の外部機器との間で通信可能となったときに前記記憶部に格納されているデータを送信し、前記状態設定部が前記取得ステートに設定されかつ任意の外部機器との間で通信可能となったときに当該外部機器から送信されたデータを取得して前記記憶手段に格納すること
を特徴とする通信装置。
【請求項２】
前記操作制御部は、前記送信ステートに設定する第１の押下ボタンと、前記取得ステートに設定する第２の押下ボタンを有し、前記第１および第２の押下ボタンは、前記通信装置の筐体外部に設けられている請求項１記載の通信装置。
【請求項３】
前記操作制御部は、表示部と、前記表示部に表示されるソフトウェアボタンを操作する入力部を有し、前記表示部は、前記送信ステートに設定する第１のソフトウェアボタンと前記取得ステートに設定する第２のソフトウェアボタンを表示するように構成されている請求項１記載の通信装置。
【請求項４】
前記操作制御部は、当該通信装置の移動を検出する移動検出部を有し、外部機器との間で通信可能となった後に、前記通信装置が第１の方向に移動した場合には前記送信ステートに設定されて前記記憶部に格納されているデータを送信し、外部機器との間で通信可能となった後に、当該通信装置が第１の方向と反対の方向の第２の方向に移動した場合には前記取得ステートに設定されて前記外部機器から送信されたデータを取得して前記記憶部に格納する請求項１記載の通信装置。
【請求項５】
外部機器への電磁波によるデータ送信と外部機器からの送信電磁波に対する負荷変調によるデータ伝送のいずれかあるいは両方が可能な通信装置であって、
アンテナと、
前記アンテナに流れる電流を検出して外部機器から受信した信号を復調する受信復調部と、
前記外部機器に対して送信する送信信号に対応させて搬送波を変調し、前記変調された搬送波を前記アンテナを介して送信する変調送信部と、
前記受信復調部および前記変調送信部による信号の受信および送信を制御する送受信制御部と、
データを格納する記憶部と、
ユーザにより操作制御が行われ、前記通信装置の状態を送信ステートに設定する状態設定部を有する操作制御部を備え、
前記送受信制御部は、前記状態設定部が前記送信ステートに設定されかつ外部機器との間で通信可能となったときに、前記記憶部に格納されているデータを送信すること
を特徴とする通信装置。
【請求項６】
外部機器への電磁波によるデータ送信と外部機器からの送信電磁波に対する負荷変調によるデータ伝送のいずれかあるいは両方が可能な通信装置であって、
アンテナと、
前記アンテナに流れる電流を検出して外部機器から受信した信号を復調する受信復調部と、
前記外部機器に対して送信する送信信号に対応させて搬送波を変調し、前記変調された搬送波を前記アンテナを介して送信する変調送信部と、
前記受信復調部および前記変調送信部による信号の受信および送信を制御する送受信制御部と、
データを格納する記憶部と、
ユーザにより操作制御が行われ、前記通信装置の状態を取得ステートに設定する状態設定部を有する操作制御部を備え、
前記送受信制御部は、前記状態設定部が前記取得ステートに設定されかつ外部機器との間で通信可能となったときに、前記外部機器から送信されたデータを取得して前記記憶手段に格納すること
を特徴とする通信装置。
【請求項７】
外部機器への電磁波によるデータ送信と外部機器からの送信電磁波に対する負荷変調によるデータ伝送のいずれかあるいは両方が可能な通信装置であって、
アンテナと、
前記アンテナに流れる電流を検出して外部機器から受信した信号を復調する受信復調部と、
前記外部機器に対して送信する送信信号に対応させて搬送波を変調し、前記変調された搬送波を前記アンテナを介して送信する変調送信部と、
前記受信復調部および前記変調送信部による信号の受信および送信を制御する送受信制御部と、
データを格納する記憶部と、
ユーザにより操作制御が行われ、前記通信装置の状態を、許可ステートおよび禁止ステートのいずれかに設定する状態設定部を有する操作制御部を備え、
前記送受信制御部は、前記状態設定部が前記許可ステートに設定されているときには、外部機器からのデータ取得要求又はデータの書き込み要求を許可して、前記データ取得要求に応じて前記憶部に格納されているデータを前記外部機器に送信し、前記書込み要求に応じて前記記憶部に前記外部機器から送信されたデータを書込み、前記禁止ステートに設定されているときには、外部機器からのデータの取得要求又はデータの書き込み要求を許可しないで、前記記憶部に格納されているデータの送信を禁止し、前記記憶部への書込みを禁止すること
を特徴とする通信装置。
【請求項８】
前記操作制御部は、前記許可ステートに設定する第１の押下ボタンと、前記不許可ステートに設定する第２の押下ボタンを有し、前記第１および第２の押下ボタンは前記通信装置の筐体外部に設けられている請求項７記載の通信装置。
【請求項９】
前記操作制御部は、表示部と、前記表示部に表示されるソフトウェアボタンを操作する入力部を有し、前記表示部は、前記許可ステートに設定する第１のソフトウェアボタンと前記不許可ステートに設定する第２のソフトウェアボタンを表示するように構成されている請求項７記載の通信装置。
【請求項１０】
前記操作制御部は、当該通信装置の移動を検出する移動検出部を有し、外部機器との間で通信可能となった後に、前記通信装置が第１の方向に移動した場合には前記許可ステートに設定されて前記記憶部に格納されているデータを送信し、外部機器との間で通信可能となった後に、当該通信装置が第１の方向と反対の方向の第２の方向に移動した場合には前記禁止ステートに設定されて前記外部機器からのデータ取得要求又はデータの書き込み要求を許可しない請求項７記載の通信装置。
【請求項１１】
外部機器への電磁波によるデータ送信と外部機器からの送信電磁波に対する負荷変調によるデータ伝送のいずれかあるいは両方が可能な通信装置であって、
アンテナと、
前記アンテナに流れる電流を検出して外部機器から受信した信号を復調する受信復調部と、
前記外部機器に対して送信する送信信号に対応させて搬送波を変調し、前記変調された搬送波を前記アンテナを介して送信する変調送信部と、
前記受信復調部および前記変調送信部による信号の受信および送信を制御する送受信制御部と、
データを格納する記憶部と、
ユーザにより操作制御が行われ、前記通信装置の状態を外部機器からの要求を許可する許可ステートに設定する状態設定部を有する操作制御部を備え、
前記送受信制御部は、前記状態設定部が前記許可ステートに設定されているときには、外部機器からのデータ取得要求又はデータの書き込み要求を許可して、前記データ取得要求に応じて前記憶部に格納されているデータを前記外部機器に送信し、前記書込み要求に応じて前記記憶部に前記外部機器から送信されたデータを書込むこと
を特徴とする通信装置。
【請求項１２】
外部機器への電磁波によるデータ送信と外部機器からの送信電磁波に対する負荷変調によるデータ伝送のいずれかあるいは両方が可能な通信装置であって、
アンテナと、
前記アンテナに流れる電流を検出して外部機器から受信した信号を復調する受信復調部と、
前記外部機器に対して送信する送信信号に対応させて搬送波を変調し、前記変調された搬送波を前記アンテナを介して送信する変調送信部と、
前記受信復調部および前記変調送信部による信号の受信および送信を制御する送受信制御部と、
データを格納する記憶部と、
ユーザにより操作制御が行われ、前記通信装置の状態を禁止ステートに設定する状態設定部を有する操作制御部を備え、
前記送受信制御部は、前記状態設定部が前記禁止ステートに設定されているときには、外部機器からのデータの取得要求又はデータの書き込み要求を許可しないで、前記記憶部に格納されているデータの送信を禁止し、前記記憶部への書込みを禁止すること
を特徴とする通信装置。
【手続補正２】
【補正対象書類名】明細書
【補正対象項目名】０００６
【補正方法】変更
【補正の内容】
【０００６】
本発明に係る通信装置は、外部機器への電磁波によるデータ送信と外部機器からの送信電磁波に対する負荷変調によるデータ伝送のいずれかあるいは両方が可能な通信装置であって、アンテナと、前記アンテナに流れる電流を検出して外部機器から受信した信号を復調する受信復調部と、前記外部機器に対して送信する送信信号に対応させて搬送波を変調し、前記変調された搬送波を前記アンテナを介して送信する変調送信部と、前記受信復調部および前記変調送信部による信号の受信および送信を制御する送受信制御部と、データを格納する記憶部と、ユーザにより操作制御が行われ、前記通信装置の状態を送信ステートおよび取得ステートのいずれかに設定する状態設定部を有する操作制御部を備えている。
また、本発明に係る通信装置は、外部機器への電磁波によるデータ送信と外部機器からの送信電磁波に対する負荷変調によるデータ伝送のいずれかあるいは両方が可能な通信装置であって、アンテナと、前記アンテナに流れる電流を検出して外部機器から受信した信号を復調する受信復調部と、前記外部機器に対して送信する送信信号に対応させて搬送波を変調し、前記変調された搬送波を前記アンテナを介して送信する変調送信部と、前記受信復調部および前記変調送信部による信号の受信および送信を制御する送受信制御部と、  データを格納する記憶部と、ユーザにより操作制御が行われ、前記通信装置の状態を送信ステートに設定する状態設定部を有する操作制御部を備えている。
また、本発明に係る通信装置は、外部機器への電磁波によるデータ送信と外部機器からの送信電磁波に対する負荷変調によるデータ伝送のいずれかあるいは両方が可能な通信装置であって、アンテナと、前記アンテナに流れる電流を検出して外部機器から受信した信号を復調する受信復調部と、前記外部機器に対して送信する送信信号に対応させて搬送波を変調し、前記変調された搬送波を前記アンテナを介して送信する変調送信部と、前記受信復調部および前記変調送信部による信号の受信および送信を制御する送受信制御部と、  データを格納する記憶部と、ユーザにより操作制御が行われ、前記通信装置の状態を取得ステートに設定する状態設定部を有する操作制御部を備えている。
【手続補正３】
【補正対象書類名】明細書
【補正対象項目名】０００７
【補正方法】変更
【補正の内容】
【０００７】
上記各本発明に係る通信装置では、上記記憶部に格納されている情報を外部機器に送信する場合には、送信ステートに設定し、且つ、上記任意の外部機器と当該通信機器との距離を通信可能に接近させる。また、上記通信装置では、任意の外部機器から情報を取得して上記記憶部に格納するには、取得ステートに設定し、且つ、上記任意の外部機器と当該通信機器との距離を通信可能に接近させる。
【手続補正４】
【補正対象書類名】明細書
【補正対象項目名】０００８
【補正方法】変更
【補正の内容】
【０００８】
また、本発明に係る通信装置は、さらに、前記送信ステートに設定する第１の押下ボタンと、前記取得ステートに設定する第２の押下ボタンを有し、前記第１および第２の押下ボタンは、前記通信装置の筐体外部に設けられている。
【手続補正５】
【補正対象書類名】明細書
【補正対象項目名】０００９
【補正方法】変更
【補正の内容】
【０００９】
上記通信装置では、上記記憶部に格納されている情報を外部機器に送信する場合には、第１の押下ボタンを押した状態で上記任意の外部機器と当該通信機器との距離を通信可能に接近させる。また、上記通信装置では、任意の外部機器から情報を取得して上記記憶部に格納するには、第２の押下ボタンを押した状態で上記任意の外部機器と当該通信機器との距離を通信可能に接近させる。
【手続補正６】
【補正対象書類名】明細書
【補正対象項目名】００１０
【補正方法】変更
【補正の内容】
【００１０】
前記操作制御部は、表示部と、前記表示部に表示されるソフトウェアボタンを操作する入力部を有し、前記表示部は、前記送信ステートに設定する第１のソフトウェアボタンと前記取得ステートに設定する第２のソフトウェアボタンを表示するように構成されていてもよい。
【手続補正７】
【補正対象書類名】明細書
【補正対象項目名】００１１
【補正方法】変更
【補正の内容】
【００１１】
前記操作制御部は、当該通信装置の移動を検出する移動検出部を有し、外部機器との間で通信可能となった後に、前記通信装置が第１の方向に移動した場合には前記送信ステートに設定されて前記記憶部に格納されているデータを送信し、外部機器との間で通信可能となった後に、当該通信装置が第１の方向と反対の方向の第２の方向に移動した場合には前記取得ステートに設定されて前記外部機器から送信されたデータを取得して前記記憶部に格納してもよい。
【手続補正８】
【補正対象書類名】明細書
【補正対象項目名】００１２
【補正方法】変更
【補正の内容】
【００１２】
また、本発明に係る通信装置は、外部機器への電磁波によるデータ送信と外部機器からの送信電磁波に対する負荷変調によるデータ伝送のいずれかあるいは両方が可能な通信装置であって、アンテナと、前記アンテナに流れる電流を検出して外部機器から受信した信号を復調する受信復調部と、前記外部機器に対して送信する送信信号に対応させて搬送波を変調し、前記変調された搬送波を前記アンテナを介して送信する変調送信部と、前記受信復調部および前記変調送信部による信号の受信および送信を制御する送受信制御部と、データを格納する記憶部と、ユーザにより操作制御が行われ、前記通信装置の状態を、許可ステートおよび禁止ステートのいずれかに設定する状態設定部を有する操作制御部を備え、前記送受信制御部は、前記状態設定部が前記許可ステートに設定されているときには、外部機器からのデータ取得要求又はデータの書き込み要求を許可して、前記データ取得要求に応じて前記憶部に格納されているデータを前記外部機器に送信し、前記書込み要求に応じて前記記憶部に前記外部機器から送信されたデータを書込み、前記禁止ステートに設定されているときには、外部機器からのデータの取得要求又はデータの書き込み要求を許可しないで、前記記憶部に格納されているデータの送信を禁止し、前記記憶部への書込みを禁止する。
【手続補正９】
【補正対象書類名】明細書
【補正対象項目名】００１３
【補正方法】変更
【補正の内容】
【００１３】
また、本発明に係る通信装置は、外部機器への電磁波によるデータ送信と外部機器からの送信電磁波に対する負荷変調によるデータ伝送のいずれかあるいは両方が可能な通信装置であって、アンテナと、前記アンテナに流れる電流を検出して外部機器から受信した信号を復調する受信復調部と、前記外部機器に対して送信する送信信号に対応させて搬送波を変調し、前記変調された搬送波を前記アンテナを介して送信する変調送信部と、前記受信復調部および前記変調送信部による信号の受信および送信を制御する送受信制御部と、  データを格納する記憶部と、ユーザにより操作制御が行われ、前記通信装置の状態を外部機器からの要求を許可する許可ステートに設定する状態設定部を有する操作制御部を備え、前記送受信制御部は、前記状態設定部が前記許可ステートに設定されているときには、外部機器からのデータ取得要求又はデータの書き込み要求を許可して、前記データ取得要求に応じて前記憶部に格納されているデータを前記外部機器に送信し、前記書込み要求に応じて前記記憶部に前記外部機器から送信されたデータを書込むことを特徴とする。
また、本発明に係る通信装置は、外部機器への電磁波によるデータ送信と外部機器からの送信電磁波に対する負荷変調によるデータ伝送のいずれかあるいは両方が可能な通信装置であって、アンテナと、前記アンテナに流れる電流を検出して外部機器から受信した信号を復調する受信復調部と、前記外部機器に対して送信する送信信号に対応させて搬送波を変調し、前記変調された搬送波を前記アンテナを介して送信する変調送信部と、前記受信復調部および前記変調送信部による信号の受信および送信を制御する送受信制御部と、データを格納する記憶部と、ユーザにより操作制御が行われ、前記通信装置の状態を禁止ステートに設定する状態設定部を有する操作制御部を備え、前記送受信制御部は、前記状態設定部が前記禁止ステートに設定されているときには、外部機器からのデータの取得要求又はデータの書き込み要求を許可しないで、前記記憶部に格納されているデータの送信を禁止し、前記記憶部への書込みを禁止することを特徴とする。
【手続補正１０】
【補正対象書類名】明細書
【補正対象項目名】００１４
【補正方法】変更
【補正の内容】
【００１４】
本発明に係る通信装置では、当該通信装置の記憶部に格納されている情報を外部機器に送信する場合には、送信ステートに設定した状態で任意の外部機器と当該通信機器との距離を通信可能に接近させ、任意の外部機器から情報を取得して当該通信装置の記憶部に格納するには、取得ステートに設定した状態で任意の外部機器と当該通信機器との距離を通信可能に接近させる。このことにより本発明に係る通信装置では、外部機器に情報を書き込む動作と外部機器から情報を読み出す動作とを明確に切り換えることができ、さらに、外部機器と近接させた状態で入力操作を行わなくてもよいので非常に簡単に情報の書き込み及び読み出しを行うことができる。
【手続補正１１】
【補正対象書類名】明細書
【補正対象項目名】００１５
【補正方法】変更
【補正の内容】
【００１５】
また、本発明に係る通信装置では、当該通信装置の記憶部に格納されている情報を外部機器に送信する場合には、第１の押下ボタンを押した状態で任意の外部機器と当該通信機器との距離を通信可能に接近させ、任意の外部機器から情報を取得して当該通信装置の記憶部に格納するには、第２の押下ボタンを押した状態で任意の外部機器と当該通信機器との距離を通信可能に接近させる。このことにより本発明に係る通信装置では、外部機器に情報を書き込む動作と外部機器から情報を読み出す動作とを明確に切り換えることができ、さらに、例えば片手で当該通信機器を持った状態でも書き込み及び読み出しを行うことができる。